【手続補正書】
【提出日】平成18年8月10日(2006.8.10)
【手続補正１】
【補正対象書類名】特許請求の範囲
【補正対象項目名】全文
【補正方法】変更
【補正の内容】
【特許請求の範囲】
【請求項１】
人体の大腿部から臀部にかけての部分を両側方から押圧する空気袋を左右に備えるとともに、給排気手段によって膨張収縮する上記空気袋の外側面にはバックアッププレートが配されていることを特徴とするマッサージ機。
【請求項２】
人体の大腿部から臀部にかけての部分を下方から押圧する空気袋を備えるとともに、該空気袋と前記大腿部から臀部にかけての部分を両側方から押圧する空気袋とは同時に、あるいは後者が少し早く膨張するように前記給排気手段による給排気タイミングが設定されていることを特徴とする請求項１記載のマッサージ機。
【請求項３】
人体の大腿部から臀部にかけての部分を下方から押圧する空気袋は人体の長手方向に沿った形状となっていることを特徴とする請求項１または２記載のマッサージ機。
【手続補正２】
【補正対象書類名】明細書
【補正対象項目名】全文
【補正方法】変更
【補正の内容】
【発明の詳細な説明】
【発明の名称】マッサージ機
【技術分野】
【０００１】
本発明は座ったり寝たりしている状態の人体に対して膨張収縮する空気袋によってマッサージを行うマッサージ機に関するものである。
【背景技術】
【０００２】
図３に示すように、椅子の座部６の前端側に大腿部のマッサージ用の空気袋２を、座部６の後端側に臀部のマッサージ用の空気袋３を配置し、さらに座部６の前端に回動自在に取り付けた脚載せ台４にふくらはぎ部のマッサージ用の空気袋１を配置したマッサージ機がある。給排気手段に接続される上記各空気袋１，２，３は、その膨張により、人体を圧迫マッサージする。なお、図示のものにおいては、背もたれ部８にも空気袋１１を配置して、人体の背中や腰についても圧迫マッサージを行えるようにしている。
【０００３】
ところで、脚載せ台４に設けた空気袋１は、ふくらはぎ部を両側から挟むように圧迫するのに対して、大腿部用の空気袋２や臀部用の空気袋３は、その膨張によって大腿部及び臀部を下方から押し上げるものであり、このために人体が上方に浮き上がってしまって、空気袋２，３の膨張によって生じるマッサージ力を有効に利用することができない。
【０００４】
また、空気袋２，３が人体の長手方向と直交する方向に長く形成されていて、その膨張時に血液の流れを塞き止めるような形状となることもあって、マッサージとして好ましい結果を得ることができないものであった。
【発明の開示】
【発明が解決しようとする課題】
【０００５】
本発明は上記の従来の問題点に鑑みて発明したものであって、空気袋の膨張によるマッサージ力を有効に利用することができるマッサージ機を提供するにある。
【課題を解決するための手段】
【０００６】
上記課題を解決するために本発明に係るマッサージ機は、人体の大腿部から臀部にかけての部分を両側方から押圧する空気袋を左右に備えるとともに、給排気手段によって膨張収縮する上記空気袋の外側面にはバックアッププレートが配されていることに特徴を有している。人体を押圧してマッサージすることができる部分が広くなるだけでなく、大腿部から臀部にかけての部分を下方から押圧する空気袋を膨張させた時の人体の浮き上がりを防ぐことができるために、他の空気袋の膨張によるマッサージ力の伝達効率を高めることができる。
【０００７】
この時、人体の大腿部から臀部にかけての部分を下方から押圧する空気袋を備えるとともに、該空気袋と前記大腿部から臀部にかけての部分を両側方から押圧する空気袋とは同時に、あるいは後者が少し早く膨張するように前記給排気手段による給排気タイミングが設定されていると、マッサージ効果を更に高めることができる。
【０００８】
また、人体の大腿部から臀部にかけての部分を下方から押圧する空気袋を人体の長手方向に沿った形状としておくことも好ましい。空気袋が血液の流れを阻害してしまうことがないために、マッサージ効果を高めることができる。
【発明の効果】
【０００９】
本発明は、人体の大腿部から臀部にかけての部分が浮き上がってしまうことを防ぐことができ、他の空気袋の膨張によるマッサージ力の伝達効率を高めることができる。また、大腿部から臀部にかけての部分を両側方から押圧する空気袋の外側面にバックアッププレートがあるために、空気袋はその膨張時に上記押圧を効果的に行うものであり、またバックアッププレートが無い場合に比して、空気袋を立てた状態でおくことができるために全体としての横幅を少なくすることができる。
【発明を実施するための最良の形態】
【００１０】
以下本発明を実施の形態の一例に基づいて詳述すると、図１及び図２に示すマッサージ機は、座部６とリクライニング自在とされている背もたれ８と、アームレストを兼ねたフレーム７とからなる椅子型のもので、その背もたれ８内には指圧マッサージを行うマッサージ機構Ｍを内蔵している。また、座部６の前方には脚載せ台４が配設されている。この脚載せ台４は、椅子のフレーム７にレイジィトング機構である伸縮機構５を介して取りつけられたもので、不使用時には伸縮機構５を縮めることで、座部６の下方に収納してしまうことができるようになっている。
【００１１】
そして、座部６には２個の空気袋３，３を配してあるとともに、これら２個の空気袋３，３のさらに両側に空気袋３０，３０を配してあり、脚載せ台４にはふくらはぎ部のマッサージ用の空気袋１ａ，１ｂをそれぞれ配置してある。上記の各空気袋は、給排気手段（図示せず）に接続されて給排気手段からの給気によって個別に膨張する。
【００１２】
ここで、脚載せ台４に設けた空気袋１ａ，１ｂは、脚載せ台１のフレームから吊り下げられることで断面Ｕ字形をなすものとなっており、その凹溝部分にふくらはぎ部を納めて空気袋１を膨張させれば、ふくらはぎ部は左右から圧迫されるものとなっている。
【００１３】
また、座部６に配した前記２個の空気袋３，３は、人体の大腿部から臀部にかけての部分に接して膨張時に下方から押圧するものであり、空気袋３０，３０は膨張時に人体の大腿部から臀部にかけての部分を両側方から押圧するものであるが、空気袋３０，３０の外側面には硬質合成樹脂等からなるバックアッププレート３１を配してあり、該空気袋３０，３０は、上記空気袋３，３と同時に、あるいは少しだけ早く膨張するように給排気タイミングを設定してある。図２中のＣは操作器である。
【００１４】
空気袋３を膨張させて大腿部及び臀部を下方から押圧する時、空気袋３０が大腿部及び臀部を側方から押圧して大腿部や臀部が浮いてしまうことを防ぐものであり、従って、空気袋３の膨張によるマッサージ力がさらに有効に人体に作用することになるものであり、また空気袋３０が大腿部や臀部を側方から押圧することは、人体に対するマッサージの作用範囲をさらに広くしたことにもなる。
【００１５】
さらに脚載せ台４に設けた２つの空気袋１ａ，１ｂは、同時に膨張するのではなく、末梢側に位置する空気袋１ａが先に膨張し、次いで空気袋１ｂが膨張するようにしてあるために、ふくらはぎにおける静脈内の血液を心臓に向かう方向へ送ることができる。
【図面の簡単な説明】
【００１６】
【図１】本発明の実施の形態の一例の外観を示す斜視図である。
【図２】同上の内部構造を示す斜視図である。
【図３】従来例の斜視図である。
【符号の説明】
【００１７】
３  空気袋
３０  空気袋
【手続補正３】
【補正対象書類名】図面
【補正対象項目名】図１
【補正方法】変更
【補正の内容】
【図１】
2006181376.tif 000001
【手続補正４】
【補正対象書類名】図面
【補正対象項目名】図２
【補正方法】変更
【補正の内容】
【図２】
2006181376.tif 000002
【手続補正５】
【補正対象書類名】図面
【補正対象項目名】図３
【補正方法】変更
【補正の内容】
【図３】
2006181376.tif 000003
【手続補正６】
【補正対象書類名】図面
【補正対象項目名】図４
【補正方法】削除
【補正の内容】
【手続補正７】
【補正対象書類名】図面
【補正対象項目名】図５
【補正方法】削除
【補正の内容】
【手続補正８】
【補正対象書類名】図面
【補正対象項目名】図６
【補正方法】削除
【補正の内容】